(57)【要約】【課題】  電池等電源残量がなくなった場合でも、何時まで正常に計量を行ったか知ることができる計量器を提供することができるようにする。【解決手段】  計量器１００内の制御部１０６は使用量検出部１０３により検出された使用量に基づく時間帯計量値を記憶手段１０７に記憶させ、当該時間帯計量値から検針用データを作成し、当該検針用データならびに検針用データを作成した時刻である確定時刻をＩＣタグ１０９に記憶させるようにした。【選択図】  図１
2007298411.tif 000002
【特許請求の範囲】
【請求項１】
電源と、
前記電源の電荷容量残量を検出する電源残量検出手段と、
時刻を計時する計時手段と、
需要家の被測定対象の使用量を計量する計量手段と、
前記計量手段により計量した使用量を前記計時手段により計時された時刻毎に逐次、時間帯計量値として記憶する記憶手段と、
前記電源残量検出手段からの残量異常信号を検出した時刻を確定時刻データとし、前記記憶手段に記憶された時間帯計量値から時間帯積算値および総積算値のうちの少なくとも１つを算出し、検針用データとして作成する制御手段と、
前記制御手段により作成された確定時刻データならびに検針用データを記憶するＩＣタグと
を具備したことを特徴とする計量器。
【請求項２】
時刻を計時する計時手段と、
需要家の被測定対象の使用量を計量する計量手段と、
前記計量手段により計量した使用量を前記計時手段により計時された時刻毎に逐次、時間帯計量値として記憶する記憶手段と、
前記計時手段が検出した時間帯終了時刻を確定時刻データとし、前記記憶手段に記憶された時間帯計量値から時間帯積算値および総積算値のうちの少なくとも１つを算出し、検針用データとして作成する制御手段と、
前記制御手段により作成された確定時刻データならびに検針用データを記憶するＩＣタグと
を具備したことを特徴とする計量器。
【請求項３】
前記ＩＣタグに計量器情報を記憶したことを特徴とする請求項１乃至２のいずれか１項記載の計量器。
【請求項４】
外部電波により送信された旧識別番号とＩＣタグ内に記憶しているＩＤ番号とが一致した場合に、外部電波により送信された旧識別番号に付加されていた新識別番号にＩＤ番号を更新する手段を具備したことを特徴とする請求項１乃至３のいずれか１項記載の計量器。
【発明の詳細な説明】
【技術分野】
【０００１】
本発明は被測定系の使用量等、供給情報に関するデータを取得する計量器に関する。
【背景技術】
【０００２】
従来より、一般家庭や工場、事業所の使用ガス量、使用電力量、使用水量を測定する計量器が普及している。当該計量器は、被測定系の使用ガス量、使用電力量、使用水量を測定する使用量検出手段と、使用量検出手段で検出した使用量をデータに編集する制御部と、制御部にて編集されたデータを表示する表示部とを具備している。
【０００３】
また、計量データを収集する方法としては計量器外部にＩＣタグを具備し当該ＩＣタグに計量データ等必要なデータをハンディターミナル等により人手により記憶させておく検針システム（例えば特許文献１）や、計量器の内部または外部にＩＣタグを設けておき計量データ等必要なデータを記憶しておく計量器がある（例えば特許文献２）。
【特許文献１】特開２００３−３２３６８６公報（第６頁、図１）
【特許文献２】特開２００１−１４７１４４公報（第５頁、図１）
【発明の開示】
【発明が解決しようとする課題】
【０００４】
しかしながら、計量器は電池等の電源で動作するものであるところ、従来の計量器では電池等電源残量がなくなった場合でも計量を継続し、データの信頼性が低くなるという問題があった。料金取引用計量器の場合、例えば1ヶ月単位にて計量器の計量値検針を行い、その計量値にて取引料金が決定されるが、計量器の電池等電源残量が1ヶ月の途中でなくなった場合、データに信頼性がないという問題点があった。
【０００５】
本発明は、電池等電源残量がなくなった場合でも、外部装置から読み出し可能なようにそれまでの計量データがＩＣタグに記憶されるとともに、正常に計量が行われた最終時刻がＩＣタグに記憶されることによりデータの正当性が担保される計量器を提供することを目的とする。
【課題を解決するための手段】
【０００６】
上記目的を達成するために、本発明による計量器は、電源と、前記電源の電荷容量残量を検出する電源残量検出手段と、時刻を計時する計時手段と、需要家の被測定対象の使用量を計量する計量手段と、前記計量手段により計量した使用量を前記計時手段により計時された時刻毎に逐次、時間帯計量値として記憶する記憶手段と、前記電源残量検出手段からの残量異常信号を検出した時刻を確定時刻データとし、前記記憶手段に記憶された時間帯計量値から時間帯積算値および総積算値のうちの少なくとも１つを算出し、検針用データとして作成する制御手段と、前記制御手段により作成された確定時刻データならびに検針用データを記憶するＩＣタグとを具備したことを特徴とする。
【発明の効果】
【０００７】
本発明によれば、電池等電源残量がなくなった場合でも、外部装置から読み出し可能なようにそれまでの計量データがＩＣタグに記憶されるとともに、正常に計量が行われた最終時刻がＩＣタグに記憶されることによりデータの正当性が担保される計量器を提供することができる。
【発明を実施するための最良の形態】
【０００８】
以下、本発明の実施例を説明する。
【実施例１】
【０００９】
本発明による計量器の実施例１であるガスメータについて図１を参照して説明する。
【００１０】
１００は計量器本体でガスメータ、電力量計、水道メータのような計量器がこれに相当する。
１０１は電源で、リチウム電池のような電池により構成され、計量器内の回路各部に電源電圧を供給している。
【００１１】
１０２は電源残量検出部で、電圧比較器等により構成され、電源１０１の電圧を検出し、電源電圧が規定値以下であると判断した場合は残量異常信号を発する。
【００１２】
１０３は使用量検出部で、超音波をガス流に重畳させその超音波の伝播時間からガス流速を求めガス流量を算出するガス量検出装置等により構成され、ガス流量を検出し電気信号に変換する。なお、電力量計の場合は電力量検出装置により構成されており、外部から供給される電圧、負荷側で使用される使用電流を検出し、乗算し電力量に対応した電気信号に変換する。また、水道メータの場合は水量検出装置により構成され、水量を検出し電気信号に変換する。
【００１３】
１０４は表示部で液晶表示器等により構成されており、使用ガス量データ等を表示する。
【００１４】
１０５は時刻識別手段で、日本標準時電波信号受信回路を有する時計回路により構成され、日本標準時電波信号を受信し、水晶発振等によるクロックパルスを計数し年月日時分秒の時刻データを作成する。
【００１５】
１０６は制御部でマイクロコンピュータ等により構成され、使用量検出部１０３により検出された使用量をもとに使用量データを作成する。ここで使用量データとは時間帯毎の使用量である時間帯計量値、時間帯計量値の時間帯毎の積算値である時間帯積算値、全時間帯積算値の総和である総積算値をいう。また、制御部１０６は使用量データを表示部１０４に表示させる。さらに、制御部１０６は電源残量検出部から残量異常信号を検出した場合ならびに各時間帯の終了時には、時間帯積算値、総積算値を検針用データとして、当該検針用データを作成した時刻を確定時刻として後述するＩＣタグ１０９に記憶させる。
【００１６】
１０７は記憶手段でＲＡＭのような半導体メモリにより構成され、各時間帯毎の時間帯計量値を記憶する。
【００１７】
１０８は入出力手段で、シリアル信号送受信回路等により構成され、ＩＣタグ１０９に対しデータの書き込み、ならびに読み出しを行う。
【００１８】
１０９はＩＣタグで、電波によりデータの呼び出しができる不揮発性半導体メモリ等で構成され、検針用データである時間帯積算値、総積算値ならびに検針用データを作成した確定時刻を記憶する。これらのデータはシリアルデータ等にて入出力手段１０８を介し制御部１０６により書き込まれ、電波送受信機能を持つ外部装置等外部から電波にて読み出される。
【００１９】
次に、ＩＣタグ１０９の内部構成詳細について図２を参照して説明する。２０１はアンテナで、例えば電波発生機能を持つハンディターミナル等の外部装置と電波信号の送受信を行う。２０２は送受信部で、アンテナ２０１にて受信した電波発生機能を持つハンディターミナル等の外部装置から送信される識別番号を含むデータ送信要求信号を受信し、後述する記憶部２０３が記憶している検針用データ等をアンテナ２０１から電波にて送信する。２０３は記憶部で不揮発性のメモリ、例えば強誘電メモリ（Ｆ−ＲＡＭ）等により構成され、検針用データであるところの時間帯積算値、総積算値ならびに確定時刻を記憶する。
【００２０】
電波送受信機能を持つハンディターミナル等の外部装置から電波にて送出されたデータ送信を要求する信号には識別番号が含まれており、アンテナ２０１、送受信部２０２を介して当該識別番号は一旦記憶部２０３に記憶される。制御回路２０４は記憶部２０３に記憶された識別番号と記憶部２０３に既に記憶されている計量器固有のＩＤ番号が一致した場合は、検針用データを送出するよう制御する。これらのデータは外部装置に対し電波にて送受信部２０２、アンテナ２０１を介して送出される。
【００２１】
次に、本実施例の動作を、図３ならびに図４を参照しつつ、説明する。ここで図３に示すプログラムは図１における制御部１０６内の図示しないプログラムメモリ内に記憶されているもので、制御部１０６の動作を制御している。また、図４は、図１における記憶手段１０７およびＩＣタグ１０９の記憶内容を表している。
【００２２】
制御部１０６は使用量検出部１０３からの信号を受け、各時間帯毎の使用量をカウントし時間帯計量値として記憶手段１０７に記憶させている。例えば１日を０：００〜６：００、６：００〜１２：００、１２：００〜１８：００、１８：００〜２４：００の４つの時間帯に分割し過去３０日分の時間帯計量値を記憶手段１０７に記憶させているものとする。例として現在が２００５年４月１７日１１時５９分であるとすると図４のメモリ構成図に示す「当日」の「６：００〜１２：００」の時間帯計量値をカウントアップし記憶手段１０７に記憶させている（ステップ３０１）。
【００２３】
時間が進行し２００５年４月１７日１２時００分になった場合、制御部１０６は、現在計量している時間帯の終了時刻であると判断し（ステップ３０２）当該時刻である「２００５−４−１７−１２：００」を「確定時刻」としてＩＣタグ１０９に記憶させる。また、制御部１０６はＩＣタグ１０９から対応する時間帯積算値を読み出す（ステップ３０４）。当該ＩＣタグに記憶されている時間帯積算値は前日までの時間帯６：００〜１２：００の積算値である。制御部１０６は当該前日までの時間帯積算値に当日の時間帯計量値を加算し（ステップ３０５）新たな時間帯積算値としてＩＣタグ１０９に記憶させる（ステップ３０６）。
【００２４】
さらに制御部１０６はＩＣタグ１０９に記憶されている「０：００〜６：００」、「６：００〜１２：００」、「１２：００〜１８：００」、「１８：００〜２４：００」各時間帯積算値の総和を求め（ステップ３０７）、新たな総積算値としてＩＣタグ１０９に記憶させる（ステップ３０８）。その後、制御部１０６は次の時間帯「１２：００〜１８：００」の計量を行う（ステップ３０１）。なお、ステップ３０８にて総積算値をＩＣタグ１０９に記憶させるとともに、計量器情報をＩＣタグ１０９に記憶させてもよい（図中不示）。ここで計量器情報とは計量器の管理番号、製造番号、検定満了時期、修理履歴のうち、いずれか一以上の情報をいう。
【００２５】
一方、電池等電源の残量が規定値以下である場合、制御部１０６は電源残量検出部１０２から残量異常信号を受信し（ステップ３０９）、この残量異常信号を受信した時刻を「確定時刻」としてＩＣタグ１０９に記憶させる。例えば残量異常信号を制御部１０６が２００５年４月１７日１５時２８分に受信した場合、制御部１０６は、「２００５−４−１７−１５：２８」を「確定時刻」としてＩＣタグ１０９に記憶させる。また、制御部１０６はＩＣタグ１０９から現在計量中の時間帯に対応する時間帯積算値を読み出す（ステップ３０４）。当該時間帯積算値は前日までの１２：００〜１８：００の時間帯積算値である。制御部１０６は当該前日までの時間帯積算値に、残量異常信号を受信するまでの当日の時間帯計量値を加算し（ステップ３０５）新たな時間帯積算値としてＩＣタグ１０９に記憶させる（ステップ３０６）。
【００２６】
さらに制御部１０６はＩＣタグ１０９に記憶されている「０：００〜６：００」、「６：００〜１２：００」、「１２：００〜１８：００」「１８：００〜２４：００」各時間帯積算値の総和を求め（ステップ３０７）新たな総積算値としてＩＣタグ１０９に記憶させる（ステップ３０８）。なお、ステップ３０８にて総積算値をＩＣタグ１０９に記憶させるとともに、計量器情報をＩＣタグ１０９に記憶させてもよい（図中不示）。ここで計量器情報とは計量器の管理番号、製造番号、検定満了時期、修理履歴のうち、いずれか一以上の情報をいう。
【００２７】
なお、電源電圧低下により計量動作が不確実なものであるため、制御部１０６はその後の計量動作を中止する（図中不示）。
【００２８】
ＩＣタグ１０９に記憶された検針用データを読み出すには、検針員等の操作者が電波発生機能を持つハンディターミナル等の外部装置を操作しデータ取得を行う。図５において５００は外部装置でハンディターミナル等がこれにあたる。５０１は操作部でキーボードスイッチ等により構成され操作者により操作される。５０２は制御部でマイクロコンピュータ等から構成され、操作部５０１からの入力を受けタグ伝送部５０３並びに記憶部５０４を制御する。タグ伝送部５０３は無線電波送受信回路により構成され、制御部５０２の制御のもと電波を送出し計量器１００内のＩＣタグ１０９に識別番号を書き込み、またＩＣタグ１０９内の検針用データを読み出す。５０４は記憶部でＲＡＭのような半導体メモリにより構成され、制御部５０２がタグリーダ部５０３を介しＩＣタグ１０９から取得した検針用データを記憶する。
【００２９】
先ず、操作者は外部装置５００の操作部５０１を操作しＩＣタグ１０９と伝送を行うよう入力する。すると、外部装置５００内の制御部５０２はタグ伝送部５０３を制御し電波を送出し計量器１００内のＩＣタグ１０９に識別番号を記憶させる。
【００３０】
一方、ＩＣタグ１０９内の制御回路２０４は当該識別番号が、予め記憶しているＩＤ番号と一致するか判断し、一致する場合は「時間帯積算値」「総積算値」の検針用データならびに「確定時刻」の各データを送信する。
【００３１】
外部装置５００の制御部５０２は当該ＩＣタグ１０９に記憶された「時間帯積算値」「総積算値」の検針用データならびに「確定時刻」の各データをタグ伝送部５０３を介し電波にて読み出し、記憶部５０４に記憶させる。このようにして、ＩＣタグ１０９に記憶されている各データをハンディターミナル等の外部装置５００に取得することができる。
【００３２】
ハンディターミナル等の外部装置５００に取得したデータ中の「確定時刻」を解析することにより、計量器１００の電池等電源残量がないことを認識することができる。確定時刻は計量器１００において最新の「時間帯積算値」「総積算値」データの作成時刻を表すものであり、電源残量があり、残量異常信号が電源残量検出部から発されなかった場合は、各時間帯の終了時刻である「０：００」「６：００」「１２：００」「２４：００」のいずれかになる。例えば、先の例で２００５年４月１７日１３時１１分にデータを取得した場合、「確定時刻」は、「２００５−４−１７−１２：００」であり、ハンディターミナル等の外部装置５００にデータを取得した時刻直前の時間帯終了時刻となる。
【００３３】
一方、電池等電源残量がなく、残量異常信号が電源残量検出部から発された場合は、「確定時刻」は制御部１０６が残量異常信号を受信した時刻となる。例えば、先の例で２００５年４月１８日１３時１１分にハンディターミナル等の外部装置５００にデータを取得した場合、「確定時刻」は、「２００５−４−１７−１５：２８」であり、取得時刻直前の時間帯終了時刻とならない。当該「確定時刻」により計量器の電池等電源残量がないこと、ならびに何時までの検針用データが有効であるかを知ることが可能である。
【００３４】
電池等電源残量がない状態で計量を行ったのではデータに信頼性がないが、本発明を用いれば電池等電源残量がなくなった場合は計量動作を中止し、その時点までのデータを記憶保存し、さらに当該記憶保存した時刻を記憶しているので、信頼性のあるデータを取得することが可能である。
【００３５】
また、本発明を用いれば、計量器１００の電池等電源残量がなくなった場合や回路の故障等、電源が供給されない場合でも、ＩＣタグ１０９にて通信可能であり、データを取得することができる。
【００３６】
データ中の「確定時刻」により、何時電池等電源残量がなくなったかを知ることができデータの有効性を確認することができる。
【００３７】
上記例では工場出荷時等にＩＣタグ１０９内に設定された計量器固有のＩＤ番号と、ハンディターミナル等の外部装置５００から送信された識別番号とが、一致した場合に、ＩＣタグ内の制御回路２０４が両番号の一致を判断しデータを送信するようにしていた。さらにデータのセキュリティを向上させるため、ハンディターミナル等の外部装置５００と伝送の都度、ＩＣタグ１０９に設定されたＩＤ番号を更新することがのぞましい。
【００３８】
つまり、ハンディターミナル等の外部装置５００から新旧２種類の識別番号を送信し、ＩＣタグ１０９内の記憶部２０３に当該２つの識別番号を記憶させるようにする。ＩＣタグ１０９内の制御回路２０４は記憶部２０３に記憶されているＩＤ番号と当該ハンディターミナル等の外部装置５００から記憶させられた旧識別番号が一致するかを判断し、一致した場合は新識別番号を新たなＩＤ番号として記憶部２０３に記憶させる。このように、ハンディターミナル等の外部装置５００と伝送の都度ＩＤ番号を更新するようにすれば、データのセキュリティが向上する。なお、新たなＩＤ番号は計量器毎にハンディターミナル等の外部装置５００にて管理するものとする。
【図面の簡単な説明】
【００３９】
【図１】本発明による計量器の実施例１の構成を示す内部構成図
【図２】本発明による計量器にかかるＩＣタグの構成を示す内部構成図
【図３】本発明による実施例１のプログラムを示す構成図
【図４】本発明による計量器の記憶内容を示す説明図
【図５】本発明による計量器の使用方法を示す説明図
【符号の説明】
【００４０】
１００    計量器本体
１０１    電源
１０２    電源残量検出部
１０３    使用量検出部
１０４    表示部
１０５    時刻識別手段
１０６    制御部
１０７    記憶手段
１０８    入出力手段
１０９    ＩＣタグ
２０１    アンテナ
２０２    送受信部
２０３    記憶部
２０４    制御回路
５００    端末機器
５０１    操作部
５０２    制御部
５０３    タグ伝送部
５０４    記憶部
【図１】
2007298411.tif 000003
【図２】
2007298411.tif 000004
【図３】
2007298411.tif 000005
【図４】
2007298411.tif 000006
【図５】
2007298411.tif 000007